(57)【要約】【課題】  気嚢を確実に保護することで信頼性の高い身体装着体の提供を課題とする。【解決手段】  気密性の気嚢３と、気嚢３を保護して、固形式かつ弾力性を有する保護部材５とが設けられ、気嚢３は、身体の左右の胸部にそれぞれ位置する左右の胸気嚢部４１，４２、身体の左右の肩部にそれぞれに位置して左右の胸気嚢部４１，４２にそれぞれ連通する左右の肩気嚢部４３，４４、および身体の背部に位置して左右の肩気嚢部４３，４４間に連通する背気嚢部４５を一体に備え、保護部材５は、外方から各気嚢部を覆う第一被覆部５５と、第一被覆部５５から側方に延長されて、気嚢３の体積膨張時に気嚢３を身体の左右方向外方から覆う第二被覆部５６とを有する構成。【選択図】  図４
2006062383.tif 000002
【特許請求の範囲】
【請求項１】
身体胸部または身体背部の少なくとも一方に位置するとともに、ガスを充填することで体積膨張して浮力が付与される気密性の気嚢と、該気嚢を保護して固形式かつ弾力性を有する保護部材とを備え、該保護部材は、身体から前後方向に離れる方向の外方から気嚢を覆う第一被覆部と、当該第一被覆部から側方に延長されて、気嚢の体積膨張時に当該気嚢を側方から覆う第二被覆部とを有することを特徴とする身体装着体。
【請求項２】
ガスを充填することで体積膨張して浮力が付与される気密性の気嚢と、該気嚢を保護して、固形式かつ弾力性を有する保護部材とが設けられ、前記気嚢は、身体の左右の胸部にそれぞれ位置する左右の胸気嚢部、身体の左右の肩部にそれぞれに位置して前記左右の胸気嚢部にそれぞれ連通する左右の肩気嚢部、および身体の背部に位置して前記左右の肩気嚢部間に連通する背気嚢部を一体に備え、
前記保護部材は、身体から前後方向に離れる方向の外方から前記各気嚢部を覆う第一被覆部と、当該第一被覆部から側方に延長されて、気嚢の体積膨張時に当該気嚢を身体の左右方向外方から覆う第二被覆部とを有することを特徴とする身体装着体。
【請求項３】
第二被覆部は、左右の肩気嚢部、および背気嚢部に対応する位置に設けられていることを特徴とする請求項２記載の身体装着体。
【請求項４】
第一被覆部は、気嚢の外方に対向させた際に気嚢の面積に比べて広い面積に形成されていることを特徴とする請求項１〜請求項３の何れかに記載の身体装着体。
【請求項５】
気嚢および保護部材を外装する外装体が設けられ、該外装体に形成した収納部に、前記気嚢および保護部材が重ねて収納されていることを特徴とする請求項１〜請求項４の何れかに記載の身体装着体。
【請求項６】
収納部は、右前身頃から左前身頃に後ろ身頃の上部に設けた連続部を介して連続して形成され、外装体に、収納部の形状に沿って右前身頃から左前身頃に後ろ身頃の上部を介して開口が形成され、該開口を開閉する開閉手段が設けられていることを特徴とする請求項５記載の身体装着体。
【請求項７】
気嚢と保護部材とが、互いに着脱手段を介して着脱自在に設けられていることを特徴とする請求項５または請求項６記載の身体装着体。
【請求項８】
開閉手段がスライド・ファスナであって、開口の縁部には、スライド・ファスナの裏側で気嚢を覆う帯状の下当てが設けられていることを特徴とする請求項６記載の身体装着体。
【請求項９】
外装体に、収納部に沿う帯状の伸縮生地が設けられていることを特徴とする請求項５〜請求項８の何れかに記載の身体装着体。
【請求項１０】
気嚢に連通路を介して該気嚢にガスを充填するためのガス充填装置が連通され、連通路を挿通するための切欠が保護部材の第一被覆部に形成され、切欠に連通路を挿通することで、気嚢に保護部材の第一被覆部を介してガス充填装着が、気嚢の外側に位置できるよう構成されていることを請求項１〜請求項９の何れかに記載の身体装着体。
【発明の詳細な説明】
【技術分野】
【０００１】
本発明は、魚釣用フローティングベストや、救命胴衣等の身体装着体に関する。
【背景技術】
【０００２】
従来、水上における救命具として、例えば救命胴衣と呼ばれる身体装着体がある。このような身体装着体では、緊急の救命時に定められた浮力を有することが必要であり、このような浮力を得るために、ガスを充填することで膨張する気嚢と、固形式の浮力材を備えたものがある（例えば、特許文献１参照）。この身体装着体はジャケットタイプであって、ジャケット本体（外装体）の左右前身頃それぞれに設けた収納部に気密材料で形成した気嚢部を収容し、これら気嚢部は背側襟首部に設けた連通路でもって連通している。また、浮力材は後ろ身頃に設けた収納部に縫い込まれている。
【０００３】
気嚢を用いた身体装着体では、通常、気嚢には空気が入っておらず偏平な状態にあり、救命時には身体装着体に付設されたガス充填器の操作部を操作して気嚢にガスを送り込むか、あるいは場合によっては、身体装着体に付設された充填器を使用者自ら吹くことで気嚢にガスを送り込むようにする。このようにして気嚢にガスを送り込むことで気嚢が体積膨張し、浮力材と併せて必要な浮力が得られる構成となっている。
【０００４】
ところで、上記従来の身体装着体では、気嚢は単にジャケット本体の収納部に収容されているだけである。したがって、例えば周囲の環境に岩などが存在していてそれによって気嚢が傷付けられると、気嚢内のガスが抜け、必要な浮力が得られなくなる。このように岩などで気嚢が損傷させられることを保護するために、身体に対して前方および後方で気嚢の外側に面するように配置される保護部材を設けた身体装着体がある（例えば、特許文献２参照）。なお、この場合、保護部材として浮力材を兼用して必要な浮力を得るようにしている。
【特許文献１】実開平０２−１４３２９６号公報
【特許文献２】実開昭６２−８７９９９号公報
【発明の開示】
【発明が解決しようとする課題】
【０００５】
ところで、身体に対して前方および後方で気嚢の外側に面するように保護部材を配置した身体装着体では、気嚢を膨張させた際に身体に対する側方から気嚢を保護する部分がない。しかし、気嚢は偏平な時よりもガスを充填することで体積膨張させた救命時に特に損傷し易くなるものであり、単に気嚢の外側に面するように保護部材を配置した身体装着体では、気嚢を側方から保護することができず、その分だけ救命時における信頼性が低いという課題があった。
【０００６】
そこで本発明は、気嚢を確実に保護することで信頼性の高い身体装着体の提供を課題とする。
【課題を解決するための手段】
【０００７】
本発明の身体装着体は、身体胸部または身体背部の少なくとも一方に位置するとともに、ガスを充填することで体積膨張して浮力が付与される気密性の気嚢と、該気嚢を保護して固形式かつ弾力性を有する保護部材とを備え、該保護部材は、身体から前後方向に離れる方向の外方から気嚢を覆う第一被覆部と、当該第一被覆部から側方に延長されて、気嚢の体積膨張時に当該気嚢を側方から覆う第二被覆部とを有することを特徴としている。
【０００８】
上記構成において、気嚢は保護部材の第一被覆部によって前後方向外方から損傷に対して保護され、気嚢の体積膨張時には、第二被覆部によって左右方向外方から損傷に対して保護されることになる。
【０００９】
本発明の身体装着体は、ガスを充填することで体積膨張して浮力が付与される気密性の気嚢と、該気嚢を保護して、固形式かつ弾力性を有する保護部材とが設けられ、前記気嚢は、身体の左右の胸部にそれぞれ位置する左右の胸気嚢部、身体の左右の肩部にそれぞれに位置して前記左右の胸気嚢部にそれぞれ連通する左右の肩気嚢部、および身体の背部に位置して前記左右の肩気嚢部間に連通する背気嚢部を一体に備え、前記保護部材は、身体から前後方向に離れる方向の外方から前記各気嚢部を覆う第一被覆部と、当該第一被覆部から側方に延長されて、気嚢の体積膨張時に当該気嚢を身体の左右方向外方から覆う第二被覆部としている。
【００１０】
上記構成において、左右の胸気嚢部、左右の肩気嚢部、背気嚢部は保護部材の第一被覆部によって前後方向外方から損傷に対して保護され、各気嚢部の体積膨張時には、第二被覆部によって左右方向外方から損傷に対して保護されることになる。
【００１１】
本発明の身体装着体は、第一被覆部が、気嚢の外方に対向させた際に気嚢の面積に比べて広い面積に形成されていることを特徴としている。このように、第一被覆部を気嚢の面積に比べて広い面積に形成することで、気嚢の体積膨張時に気嚢が単独的に浮上するのを防止することができる。
【００１２】
本発明の身体装着体は、背気嚢部は左右の肩気嚢部に比べて背側に広い幅を有し、第二被覆部は、左右の肩気嚢部、および背気嚢部に対応する位置に設けられていることを特徴としている。身体の肩部分では上方にも側方にも保護するものがない。したがって、磯場などで釣人が水面にあったときなど、岩等で損傷を受け易いのは左右の肩気嚢部や背気嚢部であるといえる。そして肩気嚢部や背気嚢部が岩等で損傷させられると、気嚢の内部のガスが漏れ、浮力が得られなくなる。そこで、第二被覆部を、左右の肩気嚢部、および背気嚢部に対応する位置に配置することでこれを確実に保護することができる。
【００１３】
本発明の身体装着体は、気嚢および保護部材を外装する外装体が設けられ、該外装体に形成した収納部に、前記気嚢および保護部材が重ねて収納されていることを特徴としている。
【００１４】
本発明の収納部は、右前身頃から左前身頃に後ろ身頃の上部に設けた連続部を介して連続して形成され、外装体に、収納部の形状に沿って右前身頃から左前身頃に後ろ身頃の上部を介して開口が形成され、該開口を開閉する開閉手段が設けられていることを特徴としている。
【００１５】
本発明の身体装着体は、気嚢と保護部材とが、互いに着脱手段を介して着脱自在に設けられていることを特徴としている。この構成によれば、気嚢と保護部材とを分離して気嚢、保護部材のメンテナンスを容易に行い得る。
【００１６】
本発明の身体装着体は、開閉手段がスライド・ファスナであって、開口の縁部には、スライド・ファスナの裏側で気嚢を覆う帯状の下当てが設けられていることを特徴としている。スライド・ファスナ開閉時、この下当てによって気嚢を保護して損傷を防止することができる。
【００１７】
本発明の身体装着体は、外装体に、収納部に沿う帯状の伸縮生地が設けられている構成としている。この構成によれば、気嚢の体積膨張時に外装体が、気嚢の体積膨張に沿って変形するのを許容することができる。
【００１８】
本発明の身体装着体は、気嚢に連通路を介して該気嚢にガスを充填するためのガス充填装置が連通され、連通路を挿通するための切欠が保護部材の第一被覆部に形成され、切欠に連通路を挿通することで、気嚢に保護部材の第一被覆部を介してガス充填装着が、気嚢の外側に位置できるよう構成されていることを特徴としている。
【００１９】
この構成によれば、ガス充填装置は気嚢に保護部材を介して配置させることができるようになるので、身体装着体を身体に装着した際、保護部材が気嚢との間にある分だけ、使用者に違和感を生じさせなくなる。また、身体装着体の装着時に、ガス充填装置は身体に対して前方に突出する恰好になる。しかし、さらにガス充填装置に対向する部分に伸縮性に富んだ伸縮性生地を配置することにより、これがガス充填装置の形状に応じて伸縮して身体を押圧する力を吸収するから、ガス充填装置といった硬質の異物が身体の前にあったとしても、その存在による違和感を効果的に抑えることができる。
【発明の効果】
【００２０】
本発明によれば、気嚢が体積膨張したときでも、これを外方からの損傷に対して保護するようになるから、損傷により気嚢からガスが抜けるのを防止することができ、気嚢を確実に保護することで信頼性の高い身体装着体を提供することができる。
【発明を実施するための最良の形態】
【００２１】
以下、本発明の実施形態に係る身体装着体を、磯釣り等に好適に用いられるフローティングベストを例に、図面に基づいて説明する。図１はフローティングベストの全体正面図、図２はフローティングベストの右前身頃を開いた図、図３は外装体を省略して気嚢および保護部材を表した装着状態の斜視図である。なお、この図２では、図１に記載しているポケット等を省略している。
【００２２】
フローティングベスト１は、外装体２と、この外装体２に収納された気嚢３と、気嚢３を保護するための保護部材５と、気嚢３内にガス（炭酸ガスが用いられる）を自動的に噴出させるためのガス充填装置６、気嚢３内にガスを人口的に吹き入れるための充填パイプ７を有する。このようなフローティングベスト１は、救命時に、定められた浮力を有する必要があり、そのままの形状で予め浮力が付与されている保護部材５と、体積膨張することで浮力が付与される気嚢３と併せて、前記定められた浮力を確保するものである。
【００２３】
フローティングベスト１は、身体Ｈに装着する際に、腕Ｈ１を通す腕通し開口８を有しており、この腕通し開口８は、脇Ｈ２および脇下部分（肋骨部分）に相当する領域を開放する形状を有する。外装体２は左前身頃１０、右前身頃１１、後ろ身頃１２を有する。外装体２は左右の前身頃１０，１１と後ろ身頃１２とを連続する肩部１４を有する。左右の前身頃１０，１１は、腹部１０Ａと胸部１０Ｂとを有し、左右の前身頃１０，１１と後ろ身頃１２とは肩部１４を介して連続している。さらに外装体２は、右前身頃１１と後ろ身頃１２とを一体になすウエスト脇部１５を有する。左右の前身頃１０，１１において、腹部１０Ａ、胸部１０Ｂ、肩部１４は、この順に漸次狭幅になるよう形成されている。
【００２４】
なお、左右前身頃１０，１１の高さ方向中間部および下部の前面には、釣具等を収めるためのポケット１６，１７が、スライド・ファスナ２０によって開閉自在に設けられている。また左前身頃１０、および右前身頃１１の前合わせ部２３，２４同士は、前合わせ部２３，２４に逢着された別のスライド・ファスナ２１によって合わせ分離自在とされている。ウエスト脇部１５には、メッシュ状の生地が逢着されてなる。前合わせ部２３，２４からその上部に至る裏地として、伸縮性のある生地２９がスライド・ファスナ２２に沿って逢着されている。これは、気嚢３が体積膨張した際に、その体積膨張を許容するためである。
【００２５】
外装体２に、気嚢３および気嚢３を保護する保護部材５を収納する収納部２５が形成されている。この収納部２５は、左右前身頃１０，１１から肩部１４、および後ろ身頃１２の上部である連続部（身体の肩甲骨に相当する領域）にわたってＵ字形に形成されている。このような収納部２５は、外装体２を表地２６および裏地２７を左右前身頃１０，１１の周縁部、肩部１４の周縁部、後ろ身頃１２の周縁部、および後ろ身頃１２の高さ方向途中部分で逢着することでもって形成される。このようにすることで、左右の前身頃１０，１１、肩部１４、後ろ身頃１２にわたって連続する収納部２５が形成される。収納部２５の裏地２７として、ナイロン織物などの保護生地を用いて、気嚢３を保護している。後ろ身頃１２のうち収納部２５より下方の領域（肩甲骨相当領域よりも下方に相当）部分は、メッシュ生地３０が用いられている。
【００２６】
外装体２の裏地２７に、収納部２５の開口３３が形成されている。この開口３３は、前合わせ部２３，２４の縁側の途中から、腹部１０Ａ、胸部１０Ｂ、肩部１４および後ろ身頃１２の上縁部にわたって形成されている。この開口３３はスライド・ファスナ２２によって開閉可能とされている。開口３３の縁部に下当て３４が開口３３に沿って逢着されている。
【００２７】
図４は、気嚢、ガス充填装置、充填パイプおよび保護部材の一部を表した正面図、図５はこれを身体に装着した正面図、図６は図４のＡ−Ａ断面矢視図、図７は身体の肩に掛かった状態の気嚢および保護部材の側面図、図８は同じく断面図、図９は気嚢が膨張した際の側面断面図、図１０は平面断面図、図１１は保護部材の第二被覆部および気嚢の装着状態を示す正面断面図、図１２はガス充填装置の取付け状態を示す正面図、図１３は側面断面図である。なお図４では、気嚢３を実線で表し保護部材５および気嚢３持上げた状態を仮想腺で表している。図５では逆に、気嚢３を仮想線で表し、保護部材５を実線で表している。
【００２８】
これらの図を参照して、気嚢３は、前記ガスが充填されることで体積膨張して浮力を付与されるよう気密性を確保し得る材料、例えばポリ塩化ビニル、ナイロン織物にポリウレタンコーティングを施したもの等で形成されており、二枚の気嚢体４０，４０を前後に合わせて周縁を溶着することで形成されている。気嚢３は、身体Ｈの腹部から左右の胸部にそれぞれ位置する左右の胸気嚢部４１，４２、身体の左右の肩部Ｈ３にそれぞれに位置して左右の胸気嚢部４１，４２にそれぞれ連通する左右の肩気嚢部４３，４４、および身体Ｈの背部Ｈ４に位置して左右の肩気嚢部４３，４４間に連通する背気嚢部４５を一体に備えている。左右の胸気嚢部４１，４２どうしは、それぞれ肩気嚢部４３，４４を介して背気嚢部４５に一体に形成され、それぞれの気嚢部４１，４２，４３，４４，４５で形成される浮力発生用空間は連通している。
【００２９】
保護部材５は、エチレンー酢酸塩化ビニル、ポリ塩化ビニル、ポリエチレン等を用いた発泡体から形成されてそれ自体浮力を有する固形式の浮力体５Ａと、その外周をナイロン織物やポリエステル織物等からなる薄手の袋体４６で被覆されな二重構造である。浮力体５Ａは、容易に撓む弾力性（可撓性）を付与されている。
【００３０】
左右の胸気嚢部４１，４２のうち下部４１ａ，４２ａの領域は、身体Ｈに装着した際に、腹部をほぼ前面で左右から覆い、且つ横腹部を途中まで覆うことが可能なほどの左右幅を、それぞれ有する。左右の胸気嚢部４１，４２のうち上部４１ｂ、４２ｂは、身体Ｈの左右外側が湾曲するように切欠かれて狭幅形状になりつつ肩気嚢部４３，４４に至る。肩気嚢部４３，４４は、身体Ｈの僧帽筋を覆う程度の左右幅を有している。
【００３１】
前記ガス充填装置６は、右の胸気嚢部４２のうち上部４２ｂに配置されている。充填パイプ７は左の胸気嚢部４１のうち上部４１ｂに配置されている。ガス充填装置６は、直方体状の充填装置本体４７と、この充填装置本体４７の上面に螺着されたガスボンベ４８と、充填装置本体４７内の、不図示の駆動部の駆動を操作するための操作レバー５０と、この操作レバー５０を支軸５１回りに回動させる索体５２と、操作レバー５０を非回動に保持する保持ピン５３とを有する。ガス充填装置６を気嚢３に装着した状態で、支軸５１は充填装置本体４７の下部で、且つ身体Ｈの中心に対して外方側に位置される。操作レバー５０の索体５２との連結部５０ｂは、支軸５１より上方側に位置している。充填装置本体４７は、右の胸気嚢部４２と連通路５４を介して連通され、この連通路５４の基端部は充填装置本体４７に連結（連通）され、連通路５４の先端は右の胸気嚢部４２に挿入されて取付け部材５４ａを介して胸気嚢部４２に固定されている。ガスはこの連通路５４を通過して右の胸気嚢部４２から気嚢３全体に充填され、気嚢３が体積膨張して浮力が付与される。
【００３２】
充填パイプ７は、パイプ本体７ａの基部が左の胸気嚢部４１の上部４１ｂに挿入されることでパイプ本体７ａが胸気嚢部４１に連通され、胸気嚢部４１の内方で取付け部７ｂを介して胸気嚢部４１のうち上部４１ｂに取付けられている。パイプ本体７ａの先端には、着脱自在なキャップ７ｃが設けられている。使用者は緊急時にこのキャップ７ｃを取外して空気を左の胸気嚢部４１から吹き込むことで、気嚢３全体に空気が入り込み、気嚢３に浮力が付与される。なお、フローティングベスト１の通常の使用時では、気嚢３にはガス（空気）が封入されておらず、気嚢３と保護部材５とが重ねられた状態で収納部２５に着脱自在に収納されている。
【００３３】
ここで、特に、充填装置本体４７を取付ける上部とは、フローティングベスト１（気嚢３）を身体Ｈに装着した際、鎖骨Ｓよりも下方で、かつ身体Ｈの脇Ｈ２より上方の位置であることが好ましい。この位置は、磯釣り等を行うときに釣人が体を動かしても邪魔になりにくい（異物の違和感が少ない）部分であるからである。
【００３４】
保護部材５は、身体Ｈから前後方向（胸背方向）に離れる方向の外方から気嚢３を覆う第一被覆部５５と、第一被覆部５５から身体左右方向に延長されて、気嚢３の体積膨張時に気嚢３を身体Ｈの左右方向外方（左右両肩方向外方）から覆う第二被覆部５６とを有する。
【００３５】
第一被覆部５５は、気嚢３の左右の胸気嚢部４１，４２を覆う胸気嚢被覆部５７，５８と、気嚢３の左右の肩気嚢部４３，４４を覆う肩気嚢被覆部６０，６１と、背気嚢部４５を覆う背気嚢被覆部６２とから一体に構成されている。つまり、第一被覆部５５は、これを気嚢３の前記外方に重ねて対向させた際に、気嚢３の概略形状に沿う形状を有している。さらに、気嚢３の外方に重ねて対向させた際に気嚢３の面積に比べて広い面積となるよう形成されている。特に胸気嚢部４１，４２を覆う胸気嚢被覆部５７，５８の左右幅は、他の被覆部６０，６１，６２に比べると気嚢部４１，４２，４３，４４，４５との差は大きくなるよう設定されている。このように、第一被覆部５５を気嚢３の面積に比べて広い面積に形成することにより、気嚢３の保護が確実になる。特に、胸気嚢部４１，４２は面積が他の気嚢部分に比べて大きいため、これに対応する胸気嚢被覆部５７，５８を大きくすることで、胸気嚢部４１，４２の体積膨張に伴う保護が可能となる。
【００３６】
第二被覆部５６は、肩気嚢部４３，４４および背気嚢部４５に対して側方に突出可能に設けられている。第一被覆部５５と第二被覆部５６の境界部は、前記袋体４６が逢着された逢着部６３を介して分離され、第一被覆部５５と第二被覆部５６にはそれぞれ別個の浮力体５５Ａ，５５Ｂが内装されている。図１０および図１１に示すように、第二被覆部５６は、肩気嚢部４３，４４および背気嚢部４５を、常態（気嚢３にガスが充填されていない通常の使用状態）において被覆している。この場合、逢着部６３で折れることで第二被覆部５６が人体Ｈ側に位置するように被覆している。なお、気嚢３および保護部材５は左右対称形状なので、図１０および図１１では、左右のうち一方を表し、符号を付している。
【００３７】
第二被覆部５６は、逢着部６３を中心に折り曲げず伸長させた状態（図３、図４、図５）では、身体Ｈの肩部のうち、特に鎖骨Ｓ辺りから三角筋に相当する部分、肩甲骨の外側領域辺りまで、ほぼ同一の幅をもって延長されるよう形成されている。さらに、第二被覆部５６において、身体Ｈの肩頂部に相当する部分に前記逢着部６３と直交する方向の別の逢着部６４が形成され、第二被覆部５６の前側と後ろ側とで分離することにより、第二被覆部５６の前側と後ろ側とに別個の浮力体が設けられている。ところで、索体５２を引き操作することでガス充填装置６から気嚢３にガスが充填される。このように、非常時にガスが気嚢３に充填されると、気嚢３は人体Ｈに保持されているから外方に向かって膨出（膨らむ）するよう体積膨張する。気嚢３が体積膨張すると、第二被覆部５６は収納部２５にあって外装体２で移動を制限されるから、第二被覆部５６は撓みながら人体Ｈから側方へ向かって離れ、気嚢３の体積膨張に伴って、逢着部６３を中心に外方へ広がる状態となって、肩気嚢部４３，４４および背気嚢部４５を外方から覆い、保護するようになる。
【００３８】
ところで、気嚢３が体積膨張し、上記のように第二被覆部５６が肩気嚢部４３，４４および背気嚢部４５を外方から覆った状態でも、第一被覆部５５と第二被覆部５６の袋体４６の境界部に逢着部６３を設け、袋体４６は薄手であることから、第二被覆部５６が第一被覆部５５に対してフリーの動作を行い得る。さらに、身体Ｈの肩頂部に相当する部分に前記逢着部６３と直交する方向の別の逢着部６４を設けて、第二被覆部５６の前側と後ろ側とで分離することにより、第二被覆部５６の前側と後ろ側とが互いにフリーの動作を行い得る。このように、第二被覆部５６が第一被覆部５５に対してフリーの動作を行い得、且つ第二被覆部５６の前側と後ろ側とを互いにフリーな状態とさせることで、非常時にフローティングベスト１を装着しいても腕の動作に負担をかけ、あるいは第二被覆部５６があるがゆえの動き難さを効果的に抑制することができ、且つ気嚢３を障害物との衝突から保護することが可能となり、気嚢３の必要な浮力を確保することができる。
【００３９】
したがって、このような第二被覆部５６は、気嚢３の体積膨張時であっても少なくとも左右の肩気嚢部４３，４４を側方から覆うだけの面積や幅を有することが好ましい。しかしそうであっても、第二被覆部５６が第一被覆部５５に対してフリーの動作を行い得、且つ第二被覆部５６の前側と後ろ側とを互いにフリーな状態とさせることで、腕の動作に負担をかけたり、第二被覆部５６があるがゆえの違和感を生じさせたりすることを効果的に抑制することができる。
【００４０】
この実施形態のフローティングベスト１では、外装体２に収納部２５を設け、気嚢３および保護部材５を収納部２５に収納して、磯釣り等に装着して用いる通常の状態では気嚢３にはガスが充填されておらず、気嚢３は偏平な形状である。そして、気嚢３内にガスを充填することで気嚢３は体積膨張するが、このとき気嚢３は収納部２５内で体積膨張し、外部へ露出することがない。そして、気嚢３の体積膨張（変形）とともに、収納部２５も変形することになり、気嚢３は、まず外装体２によって保護される状態となる。
【００４１】
ところで非常時では、上記のようにして気嚢３にガスあるいは空気を入れて気嚢３が体積膨張するとき、身体Ｈは水面にある。このとき、身体Ｈの胴の側方には通常、腕Ｈ１が位置し気嚢３の体積膨張時には、左右の胸気嚢部４１，４２は保護され易い。これに対し、特に身体Ｈの肩Ｈ３部分では上方にも側方にも保護するものがない。したがって、磯場などで釣人が水面にあったときでは、フローティングベスト１は浮力を有しているから水面上方へ浮上する力が働き、人体Ｈから離れ易い。そして一般に、岩等で損傷を受け易いのは左右の肩気嚢部４３，４４や背気嚢部４５であるといえる。そして肩気嚢部４３，４４や背気嚢部４５が岩等で損傷させられると、気嚢３の内部のガスが漏れ、浮力が得られなくなる。また、気嚢３は体積膨張時の方が、ガスが未注入の場合に比べて、損傷を受ける面積が大きくなる。
【００４２】
しかし、この実施形態では、保護部材５の面積を気嚢３の面積よりも大きくしており、特に第二被覆部５６を、肩気嚢被覆部６０，６１および背気嚢被覆部６２に対して側方に大きく突出延長可能に設けていることにより、気嚢３の体積膨張時においても左右の肩気嚢部４３，４４や背気嚢部４５を充分に覆うだけの面積を付与していることで、外部側方からの損傷から、肩気嚢部４３，４４や背気嚢部４５を保護することができる。したがって、フローティングベスト１の使用時、特に緊急時の信頼性を向上させることができる。
【００４３】
さらに、気嚢３が体積膨張して浮力が付与された際、気嚢３のみが収納部２５に収納されていたとすると、その浮力によって気嚢３が単独的に浮上し易い状態となる。しかし、気嚢３に重ねて保護部材５を、着脱手段によって離脱させない構成としており、また保護部材５の面積を気嚢３の面積よりも大きくし、特に第二被覆部５６を、肩気嚢被覆部６０，６１および背気嚢被覆部６２に対して側方に大きく突出延長するよう設けていることにより、気嚢３が単独的に浮上してしまうといった状態を回避することができる。
【００４４】
左右の胸気嚢部４１，４２のうち下部４１ａ，４２ａの領域は、身体Ｈに装着した際に、腹部をほぼ前面で左右から覆い、且つ横腹部を途中まで覆うもので、腹部の後方で連続させていない構成としている。このように腹部の後方での浮力を付与する部分を設けず、背気嚢部４５によって背側で身体Ｈに対して浮力を付与することで、水面での身体Ｈを安全な好ましい浮力姿勢、すなわち、水面で身体Ｈの頭部側を浮上させる姿勢とすることが可能となる。なお、左右の胸気嚢部４１，４２を腹部の後方で連続させていない構成としていることで、その分だけコストの低減が可能となるとともに、気嚢３の体積膨張時であってもフローティングベスト１の脇部分を人体Ｈにフィットさせることが可能となる。また、左右の胸気嚢部４１，４２と背気嚢部４５とを左右の肩気嚢部４３，４４で連通して気嚢３を一体とすることで、ガス充填装置６を複数設ける必要がない。
【００４５】
第一被覆部５５の右側の胸気嚢被覆部５８に、ガス充填装置６の連通路５４に挿通する切欠６５が形成されている。この切欠６５は、第二被覆部５６よりも下方に位置して、胸気嚢被覆部５７，５８の側部の縁部に対してほぼ直交する方向に形成されている。この切欠６５も袋体４６の一部で被覆されている。気嚢３に保護部材５を重ねるとき、ガス充填装置６の充填装置本体４７と気嚢３との間に、保護部材５が挿入されるように、切欠６５に連通路５４を挿通するようにする。このようにすることで、身体Ｈに気嚢３および保護部材５を介してガス充填装置６が配置されるようになる。
【００４６】
気嚢３と保護部材５とを着脱自在に重ね合わせるための着脱手段６６が設けられている。この着脱手段６６として、例えば気嚢３と保護部材５（袋体４６）との合わせ面どうしに取付けた複数のホック７０等が用いられる。このホック７０の配置として、例えば気嚢３と保護部材５の周縁隅部や周縁途中に複数箇所設けることが好ましい。さらに、保護部材５を外装体２の収納部２５に着脱するための着脱手段６７が設けられている。この着脱手段６７として、例えば収納部２５を形成する生地と保護部材５（袋体４６）との合わせ面に取付けた複数のホック７１等が用いられる。なお、これらホック７０，７１は、例えば互いに着色を変えることで、使用者は迷う（間違う）ことなく、気嚢３と保護部材５どうし、あるいは保護部材５を外装体２とを取付けることができる。
【００４７】
気嚢３と保護部材５は、着脱手段６６によって重ねるようにして取付けた状態で、ガス充填装置６、および充填パイプ７とともに収納部２５に収納される。このとき、スライド・ファスナ２２を操作して開口３３を解放しておき、気嚢３と保護部材５を収納部２５に置くようにするとともに、保護部材５を着脱手段６７のホック７１によって収納部２５に留め、スライド・ファスナ２２を閉じるようにすることで、気嚢３と保護部材５とは、収納部２５に確実に保持される。スライド・ファスナ２２の開閉を行う際、開口３３の縁部に下当て３４が開口８に沿って逢着されているから、開口３３側にある気嚢３をスライド・ファスナ２２で挟んでしまって損傷させてしまうといった状態を回避できる。さらに、気嚢３は扁平でその形状が定まらないが、保護部材５は固形式の浮力体を有して形状は留まり易いから、気嚢３と保護部材５を一体とすることで、気嚢３を収納部２５に収納し易く、作業性が向上する。
【００４８】
磯釣り等に用いるエサなどによりフローティングベスト１が汚れて洗濯を行う場合、気嚢３および保護部材５を収納部２５に収納したまま行うことは好ましくないから、気嚢３と保護部材５を収納部２５から取外すことが必要である。この場合、スライド・ファスナ２２を操作して開口３３を開放し、保護部材５を着脱手段６７のホック７１を外すことによって、気嚢３および保護部材５を容易に収納部２５から取外すことができる。気嚢３と保護部材５とを分離する場合では、着脱手段６６のホック７０を取外すことで、容易に行い得る。気嚢３や保護部材５を交換する場合にも、同様にホック７０，７１を取外すことで容易に行い得る。
【００４９】
外装体２の左前身頃１０の上部から後ろ身頃１２にかけて、また、右前身頃１１の上部から後ろ身頃１２にかけての部分に、多方向の伸縮性に富んだ伸縮性生地７２、例えばクロロプレンやポリウレタンゴムを織り込んだ織物等が用いられている。このように、左前身頃１０の上部に伸縮性生地７２を設けることで伸縮性生地７２を充填パイプ７に対向させ、伸縮性生地７２を右前身頃１１の上部に設けることで、伸縮性生地７２をガス充填装置６に対向させている構成を有する。
【００５０】
フローティングベスト１の装着時に、充填パイプ７やガス充填装置６は身体Ｈに対して前方に突出する恰好になる。そして、充填パイプ７やガス充填装置６に対向する部分に伸縮性の乏しい生地を設けていると、身体Ｈの動作によってはその生地によって充填パイプ７やガス充填装置６が身体Ｈを押圧することで、違和感を生じることになる。しかし、充填パイプ７やガス充填装置６に対向する部分に伸縮性に富んだ伸縮性生地７２を配置することにより、これが充填パイプ７やガス充填装置６の形状に応じて伸縮して身体Ｈを押圧する力を吸収するから、充填パイプ７やガス充填装置６といった硬質の異物が身体Ｈの前にあったとしても、その存在による違和感を効果的に抑えることができる。
【００５１】
なお、伸縮性生地７２，７３の表側にリフレクターと称される反射材７４が、伸縮性生地７２，７３の伸縮性を妨げないよう、左右の前身頃１０，１１の縁部に逢着されている。このような反射材７４の光反射によって、使用者（身体Ｈ）の存在が強調されることになるとともに、外観的に優れたフローティングベスト１となっている。
【００５２】
外装体２（収納部２５を形成する表地）の一部、すなわちフローティングベスト１の腕通し開口８の縁部で、脇Ｈ２のやや下方に位置する辺りに、切込み７５が形成されている。そして、ガス充填装置６の操作レバー５０を支軸５１回りに回動させる索体５２が前記切込み７５から導出されて、その先端に索体５２を引き降ろす際に使用者が握る握り部７６が連結されている。このような切込み７５の位置から索体５２を導出することで、次のような作用効果が得られる。
【００５３】
ガス充填装置６は、上記のように鎖骨Ｓよりも下方で、かつ身体Ｈの脇Ｈ２より上方に位置させていることから、索体５２、操作レバー５０および支軸５１の関係において、索体５２を引き操作する際の力の作用点が、ガス充填装置６を例えば身体Ｈの背等に配置した場合に比べて、近い位置になっている。このように力点から作用点までの距離を短くしたことにより、途中に索体５２の移動を邪魔するものが少なくなるから、その分だけ索体５２を引き操作するための操作力を減らすことができ、索体５２の引き操作がし易くなる。
【００５４】
さらに、操作レバー５０の支軸５１は、充填装置本体４７の下部で、且つ身体Ｈの中心の外方側部位に位置しており、図１２において反時計方向に回動させるように操作するものであるから、例えば索体５２を引き操作する際、握り部７６を握って腕Ｈ１を無理なく自然な方向に伸ばすことで、索体５２の引き操作方向Ｐが横方向に近い状態となり、操作レバー５０の本体５０ａに対して直交する方向に近い方向に向けて引き操作することが可能となる。このため、操作レバー５０を回動させる際に、引き操作力を、操作レバー５０を非回動に保持する保持ピン５３に負荷させることで、この保持ピン５３を小さな引き操作力でもって破壊させることができるようになり、救命時に容易、且ついっそう確実にガス充填装置６を駆動させることができるようになって、フローティングベスト１の信頼性を向上させることができる。
【００５５】
さらに、切込み７５の位置は、握り部７６を、使用者が目視で確認しなくても、腕Ｈ２を曲げればすぐに探り当てることのできる位置であり、この位置に握り部７６を設置しておくことで、非常時に握り部７６を容易に探り当て、索体５２を引き操作することができる。
【００５６】
外装体２に収納部２５を設け、気嚢３および保護部材５を収納部２５に収納しており、磯釣り等に装着して用いる通常の状態では気嚢３にはガスが充填されておらず、したがって気嚢３は偏平な形状であり、且つ気嚢３は、左右の胸気嚢部４１，４２、左右の肩気嚢部４３，４４、および背気嚢部４５のみからなり、保護部材５は、第一被覆部５５、および第二被覆部５６のみからなり、できるだけ小さい面積の気嚢３および保護部材５としている。このため横腹からその後方部分は外装体２の生地のみで構成することができる。つまり、気温の高いときの釣行でも使用者が暑苦しさを感じることを抑制することができる。特に、後ろ身頃１２の下部をメッシュ生地で構成するようにしているので、いっそう効果的に暑苦しさを感じる状態を回避することができる。
【００５７】
上記実施形態では、気嚢３と保護部材５とを着脱自在な構成としたが、これに限定されることなく、気嚢３と保護部材５とを一体に設けて組品とし、この組品を着脱手段によって収納部２５に着脱可能に構成することもできる。さらに、交換、洗濯などのメンテナンス性はないが、気嚢３と保護部材５とを一体に設けた組品を、収納部２５に一体に装着する構成とすることも勿論可能である。
【００５８】
さらに、上記実施形態では気嚢３と保護部材５は外装体２に外装したフローティングベスト１としたがこれに限定されず、気嚢３と保護部材５を一体とした形式のフローティングベストであっても適用可能である。また、上記実施形態では、第二被覆部５６は、肩気嚢被覆部６０，６１および背気嚢被覆部６２に設けたがこれに限定されず、可能であれば、左右の胸気嚢部４１，４２にも設けることも考えられる。
【図面の簡単な説明】
【００５９】
【図１】本発明の実施形態を示すフローティングベストの全体正面図。
【図２】同じくフローティングベストの右前身頃を開いた図。
【図３】同じく外装体を省略して気嚢および保護部材を表した装着状態の斜視図。
【図４】同じく気嚢、ガス充填装置、充填パイプおよび保護部材の一部を表した正面図。
【図５】同じくこれを身体に装着した正面図。
【図６】同じく図４のＡ−Ａ断面矢視図。
【図７】同じく身体の肩に掛かった状態の気嚢および保護部材の側面図。
【図８】同じく断面図。
【図９】同じく気嚢が膨張した際の側面断面図。
【図１０】同じく平面断面図。
【図１１】同じく保護部材の第二被覆部および気嚢の装着状態を示す正面断面図。
【図１２】同じくガス充填装置の取付け状態を示す正面図。
【図１３】同じく側面断面図。
【符号の説明】
【００６０】
１…フローティングベスト
２…外装体
３…気嚢
５…保護部材
６…ガス充填装置
５５…第一被覆部
５６…第二被覆部
【図１】
2006062383.tif 000003
【図２】
2006062383.tif 000004
【図３】
2006062383.tif 000005
【図４】
2006062383.tif 000006
【図５】
2006062383.tif 000007
【図６】
2006062383.tif 000008
【図７】
2006062383.tif 000009
【図８】
2006062383.tif 000010
【図９】
2006062383.tif 000011
【図１０】
2006062383.tif 000012
【図１１】
2006062383.tif 000013
【図１２】
2006062383.tif 000014
【図１３】
2006062383.tif 000015